(57)【要約】  バスバと端子金具の嵌合方向の収容スペースを小さくすることができる電子部品組立体を提供する。  電子部品組立体（１）は、リレー（２）と、ダイオード（３）と、複数のバスバ（６）と、板状の樹脂部材（７）と、で構成されている。リレー（２）は、外形が直方体状のリレー本体（２０）と、該リレー本体（２０）の底面（２０ｂ）から突出した複数の端子部（２１）と、を有している。複数のバスバ（６）は、一端（６ａ）側がリレー（２）の端子部（２１）又はダイオード（３）の端子部（３１）にはんだ付けされており、他端（６ｂ）が端子金具と嵌合される。複数のバスバ（６）の一端（６ａ）側は、樹脂部材（７）に埋設されている。また、複数のバスバ（６）は、樹脂部材（７）の対向する二側面から二つずつ突出し、リレー本体（２０）の上面（２０ａ）側に直角に折り曲げられている。このため、バスバ（６）の他端（６ｂ）は、リレー本体（２０）の対向する二側面（２０ｃ，２０ｄ）と対向している。
2014030627.tif 000002
【特許請求の範囲】
【請求項１】
外形が直方体状の部品本体及び該部品本体の底面から突出した複数の端子部が設けられた電子部品と、一端側が前記端子部に電気接続されており、他端が端子金具と嵌合される複数のバスバと、を有する電子部品組立体において、
前記複数のバスバの前記他端が前記部品本体の側面と対向している
ことを特徴とする電子部品組立体。
【請求項２】
前記複数のバスバの前記一端側が取り付けられた樹脂部材をさらに有している
ことを特徴とする請求項１に記載の電子部品組立体。
【請求項３】
前記複数のバスバが、前記樹脂部材に接して直角に折り曲げられているか、又は、前記樹脂部材の内部において直角に折り曲げられている
ことを特徴とする請求項２に記載の電子部品組立体。
【請求項４】
前記複数のバスバの前記他端が、前記部品本体の対向する二側面と対向している
ことを特徴とする請求項１ないし請求項３のいずれか１項に記載の電子部品組立体。
【請求項５】
請求項１ないし請求項４のいずれか１項に記載の電子部品組立体と、前記複数のバスバと嵌合される複数の端子金具と、前記電子部品組立体及び前記複数の端子金具が収容される保持部材と、を有している
ことを特徴とする電子部品組立体と端子金具との接続構造。
【請求項６】
請求項１ないし請求項４のいずれか１項に記載の電子部品組立体と、前記複数のバスバと嵌合される複数の端子金具と、前記電子部品組立体及び前記複数の端子金具が収容される保持部材と、を有している
ことを特徴とする電気接続箱。
【発明の詳細な説明】
【技術分野】
【０００１】
本発明は、電子部品組立体、該電子部品組立体と端子金具との接続構造、該電子部品組立体を有する電気接続箱に関するものである。
【背景技術】
【０００２】
図７は、従来のリレーの斜視図である。図８は、図７に示されたリレーと端子金具との接続構造の斜視図である。図９は、図８に示されたリレーと端子金具との接続構造の平面図である。図１０は、図９中のＡ−Ａ線に沿った断面図である。【０００３】
図７に示すように、従来のリレー３０１は、外形が直方体状のリレー本体３０２と、該リレー本体３０２の底面３０２ｂから突出し、端子金具３０４（図１０に示す。）と嵌合される複数の板状の端子部３０３と、を有している。また、図７の符号３０２ａは、リレー本体３０２の上面を示しており、符号３０２ｃ〜３０２ｆは、リレー本体３０２の側面を示している。また、矢印Ｋは、端子部３０３と端子金具３０４との嵌合方向を示している。【０００４】
本明細書では、リレー本体（すなわち部品本体）から端子部が突出する面を、リレー本体の方位にかかわらず「底面」と呼び、その反対面を「上面」と呼ぶ。【０００５】
図８〜１０に示すように、従来の「リレーと端子金具との接続構造３０７」は、図７に示したリレー３０１と、該リレー３０１の複数の端子部３０３と嵌合される複数の端子金具３０４と、これらリレー３０１及び端子金具３０４が装着される保持部材３０６と、を有している。また、図９においては、保持部材３０６を説明するために、二つのリレー３０１のうちの一方を図示していない。【０００６】
上記端子金具３０４は、図１０に示すように、上記リレー３０１の端子部３０３と嵌合する雌型の接続部を有している。また、端子金具３０４は、電線３０５の端部に接続されている。【０００７】
上記保持部材３０６は、合成樹脂で構成されている。この保持部材３０６は、図８に示すように、リレー装着部３６３が二つ設けられている。リレー装着部３６３は、リレー本体３０２が載置される載置面３６０と、載置面３６０の下方に形成され、各端子部３０３及び各端子金具３０４を収容する複数の収容室３６１と、各収容室３６１内に設けられ、端子金具３０４に係止するランス３６２と、で構成されている。また、図８の符号３６４は、電気接続箱等のケースに係止する係止部である。【０００８】
上述した「リレーと端子金具との接続構造３０７」は、例えば、合成樹脂製のケースに収容されて、自動車用電気接続箱を構成する（特許文献１を参照。）。
【先行技術文献】
【特許文献】
【０００９】
【特許文献１】特開２０１０−２２１７８７号公報
【発明の概要】
【発明が解決しようとする課題】
【００１０】
しかしながら、上述した従来のリレー３０１を有する電気接続箱等の構造物においては、最低でも、リレー本体３０２の高さ寸法ｈ１１と、保持部材３０６の高さ寸法ｈ１２とを合わせた寸法の収容スペースが必要であり、高さ方向の寸法、すなわち端子部３０３と端子金具３０４との嵌合方向の寸法、が大きくなってしまうという問題があった。なお、保持部材３０６の高さ寸法ｈ１２は、端子部３０３の長さの２〜３倍程度である。【００１１】
なお、上述した問題は、リレー３０１を有する構造物以外、例えば、直方体状の部品本体の底面から複数の端子部が突出した電子部品を有する構造物においても、同様に生じ得る問題である。【００１２】
したがって、本発明は、バスバと端子金具の嵌合方向の収容スペースを小さくすることができる電子部品組立体、該電子部品組立体と端子金具との接続構造、及び、該電子部品組立体を有する電気接続箱を提供することを目的とする。
【課題を解決するための手段】
【００１３】
上記目的を達成するために請求項１に記載された発明は、外形が直方体状の部品本体及び該部品本体の底面から突出した複数の端子部が設けられた電子部品と、一端側が前記端子部に電気接続されており、他端が端子金具と嵌合される複数のバスバと、を有する電子部品組立体において、前記複数のバスバの前記他端が前記部品本体の側面と対向していることを特徴とする電子部品組立体である。【００１４】
請求項２に記載された発明は、請求項１に記載された発明において、前記複数のバスバの前記一端側が取り付けられた樹脂部材をさらに有していることを特徴とするものである。【００１５】
請求項３に記載された発明は、請求項２に記載された発明において、前記複数のバスバが、前記樹脂部材に接して直角に折り曲げられているか、又は、前記樹脂部材の内部において直角に折り曲げられていることを特徴とするものである。【００１６】
請求項４に記載された発明は、請求項１ないし請求項３のいずれか１項に記載された発明において、前記複数のバスバの前記他端が、前記部品本体の対向する二側面と対向していることを特徴とするものである。【００１７】
請求項５に記載された発明は、請求項１ないし請求項４のいずれか１項に記載の電子部品組立体と、前記複数のバスバと嵌合される複数の端子金具と、前記電子部品組立体及び前記複数の端子金具が収容される保持部材と、を有していることを特徴とする電子部品組立体と端子金具との接続構造である。【００１８】
請求項６に記載された発明は、請求項１ないし請求項４のいずれか１項に記載の電子部品組立体と、前記複数のバスバと嵌合される複数の端子金具と、前記電子部品組立体及び前記複数の端子金具が収容される保持部材と、を有していることを特徴とする電気接続箱である。
【発明の効果】
【００１９】
請求項１に記載された発明によれば、外形が直方体状の部品本体及び該部品本体の底面から突出した複数の端子部が設けられた電子部品と、一端側が前記端子部に電気接続されており、他端が端子金具と嵌合される複数のバスバと、を有する電子部品組立体において、前記複数のバスバの前記他端が前記部品本体の側面と対向しているので、バスバと端子金具の嵌合方向の収容スペースを小さくすることができる電子部品組立体を提供することができる。【００２０】
請求項２に記載された発明によれば、前記複数のバスバの前記一端側が取り付けられた樹脂部材をさらに有しているので、本電子部品組立体を保持部材に装着する際に、樹脂部材を押圧することにより容易に装着することができる。【００２１】
請求項３に記載された発明によれば、前記複数のバスバが、前記樹脂部材に接して直角に折り曲げられているか、又は、前記樹脂部材の内部において直角に折り曲げられているので、バスバと端子金具が嵌合する際にバスバに加えられる力を樹脂部材で受けることができ、そのために、バスバが変形することを防止できる。【００２２】
請求項４に記載された発明によれば、前記複数のバスバの前記他端が、前記部品本体の対向する二側面と対向しているので、バスバと端子金具の嵌合方向の収容スペースを小さくすることができる電子部品組立体を提供することができる。【００２３】
請求項５に記載された発明によれば、請求項１ないし請求項４のいずれか１項に記載の電子部品組立体と、前記複数のバスバと嵌合される複数の端子金具と、前記電子部品組立体及び前記複数の端子金具が収容される保持部材と、を有しているので、電子部品組立体のバスバと端子金具の嵌合方向の収容スペースを小さくすることができる電子部品組立体と端子金具との接続構造を提供することができる。【００２４】
請求項６に記載された発明によれば、請求項１ないし請求項４のいずれか１項に記載の電子部品組立体と、前記複数のバスバと嵌合される複数の端子金具と、前記電子部品組立体及び前記複数の端子金具が収容される保持部材と、を有しているので、電子部品組立体のバスバと端子金具の嵌合方向の収容スペースを小さくすることができる電気接続箱を提供することができる。
【図面の簡単な説明】
【００２５】
【図１】本発明の第１の実施形態にかかる電子部品組立体の斜視図である。
【図２】図１に示された電子部品組立体と端子金具との接続構造の斜視図である。
【図３】図２に示された電子部品組立体と端子金具との接続構造の平面図である。
【図４】図３中のＢ−Ｂ線に沿った断面図である。
【図５】図４に示された端子金具付き電線の斜視図である。
【図６】本発明の第２の実施形態にかかる電子部品組立体の斜視図である。
【図７】従来のリレーの斜視図である。
【図８】図７に示されたリレーと端子金具との接続構造の斜視図である。
【図９】図８に示されたリレーと端子金具との接続構造の平面図である。
【図１０】図９中のＡ−Ａ線に沿った断面図である。
【発明を実施するための形態】
【００２６】
（第１の実施形態）
本発明の第１の実施形態にかかる「電子部品組立体」、「電子部品組立体と端子金具との接続構造」及び「電気接続箱」を図１〜５を参照して説明する。
【００２７】
図１に示す電子部品組立体１は、リレー（請求項の「電子部品」）２と、ダイオード３と、複数のバスバ６と、樹脂部材７と、で構成されている。
【００２８】
上記リレー２は、外形が直方体状のリレー本体（請求項の「部品本体」）２０と、該リレー本体２０の底面２０ｂから突出した複数の端子部２１と、を有している。リレー本体２０は、対向する上面２０ａ及び底面２０ｂと、対向する側面２０ｃ及び側面２０ｄと、対向する側面２０ｅ及び側面２０ｆと、を有している。端子部２１は、合計五つ設けられている。また、本実施形態では、電子部品組立体１の小型化を図るために基板用リレー２を用いているが、本発明では、プラグインタイプのリレーを用いることも可能である。
【００２９】
上記複数のバスバ６は、金属板にプレス加工等が施されて得られるものであり、合計四つ設けられている。これらバスバ６は、一端６ａ側がリレー２の端子部２１又はダイオード３の端子部３１に電気接続されており、他端６ｂが端子金具４（図４に示す。）と嵌合される。また、リレー２の端子部２１及びダイオード３の端子部３１は、バスバ６の一端６ａ側に形成された貫通孔を通されて該バスバ６にはんだ付けされている。
【００３０】
上記樹脂部材７は、絶縁性の合成樹脂により板状に形成されている。上記複数のバスバ６の一端６ａ側は、この樹脂部材７に埋設されることで取り付けられている。また、樹脂部材７には、リレー２の端子部２１及びダイオード３の端子部３１をバスバ６の一端６ａ側に形成された貫通孔に通すための貫通孔７１が形成されている。
【００３１】
また、上記複数のバスバ６は、樹脂部材７の対向する二側面から二つずつ突出し、リレー本体２０の上面２０ａ側に直角に折り曲げられている。このため、バスバ６の他端６ｂは、リレー本体２０の対向する二側面２０ｃ，２０ｄと対向している。また、図１中の矢印Ｋは、バスバ６の他端６ｂと端子金具４との嵌合方向を示している。また、リレー本体２０の側面２０ｃと対向した二つのバスバ６の他端６ｂは、矢印Ｋと直交する方向に間隔をあけている。同様に、リレー本体２０の側面２０ｄと対向した二つのバスバ６の他端６ｂは、矢印Ｋと直交する方向に間隔をあけている。
【００３２】
このような電子部品組立体１を組み立てる際は、まず、複数のバスバ６の一端６ａ側をインサート成形により樹脂部材７に取り付ける。そして、リレー２の端子部２１及びダイオード３の端子部３１を樹脂部材７の貫通孔７１及びバスバ６の貫通孔に通し、これら端子部２１，３１をバスバ６にはんだ付けして組み立てる。
【００３３】
また、本実施形態のバスバ６は、一端６ａ側がインサート成形により樹脂部材７に埋設されて取り付けられているが、本発明においては、インサート成形以外に、バスバ６の一端６ａ側を樹脂部材７に係止させることで取り付けるようにしても良い。
【００３４】
図２〜４に示す「電子部品組立体と端子金具との接続構造９」は、図１に示した電子部品組立体１と、該電子部品組立体１の複数のバスバ６と嵌合される複数の端子金具４と、これら電子部品組立体１及び複数の端子金具４が収容される保持部材８と、を有している。また、図３においては、保持部材８を説明するために、二つの電子部品組立体１のうちの一方を図示していない。
【００３５】
上記端子金具４は、図５に示すように、金属板にプレス加工等が施されて得られるものであり、電線５の端部に接続されている。この端子金具４は、上記電子部品組立体１のバスバ６の他端６ｂと嵌合する雌型の接続部４１と、電線５の端部において絶縁被覆５２が除去されて露出した芯線５１をかしめる一対の圧着片４２と、絶縁被覆５２の部分をかしめる一対の圧着片４３と、を有している。また、接続部４１は、平板部４４と、平板部４４の両端から立設するとともに先端部が平板部４４側に曲げられた一対のバネ部４５と、を有している。このような端子金具４は、平板部４４と一対のバネ部４５の先端部との間にバスバ６の他端６ｂを挟むようにしてバスバ６と嵌合する。
【００３６】
また、本実施形態の端子金具４は、接続部４１が「ファストン型」と呼ばれるタイプであるが、本発明においては、接続部の形状はファストン型に限定されず、バスバ６の他端６ｂを収容可能な筒と該筒内に設けられた付勢バネとを有するものであっても良いし、バスバ６の他端６ｂが差し込まれるスロットを有する音叉形状のものであっても良い。
【００３７】
上記保持部材８は、合成樹脂で構成されている。この保持部材８は、図２，３に示すように、電子部品組立体収容部８３が二つ設けられている。電子部品組立体収容部８３は、図４に示すように、リレー２を収容する第１収容室８０と、第１収容室８０の両側に二つずつ形成され、各バスバ６の他端６ｂ及び各端子金具４を収容する第２収容室８１と、各第２収容室８１内に設けられ、端子金具４に係止するランス８２と、で構成されている。第１収容室８０は、上方に開口した凹状に形成されている。第２収容室８１は、上下に開口した筒状に形成されている。ランス８２は、第２収容室８１の内面から延びている。また、ランス８２は、端子金具４のバネ部４５の縁に係止することで該端子金具４を保持する。また、保持部材８の外面には、電気接続箱等のケースに係止する係止部８４が設けられている。
【００３８】
また、本実施形態の保持部材８は、電子部品組立体収容部８３が二つ設けられているが、本発明においては、電子部品組立体収容部８３の数は二つに限定されず、一つでも良いし、三つ以上であっても良い。
【００３９】
上記「電子部品組立体と端子金具との接続構造９」の組み立て手順は以下の通りである。予め電線５の端部に端子金具４を接続しておき、この端子金具付き電線５を第２収容室８１の下方から第２収容室８１内に挿入し、端子金具４をランス８２に係止させる。そして、保持部材８の上方から第１収容室８０及び第２収容室８１内に電子部品組立体１を挿入し、各バスバ６の他端６ｂを各端子金具４に嵌合させて組み立てる。また、電子部品組立体１を電子部品組立体収容部８３内に挿入する際は、リレー本体２０の上面２０ａ及びバスバ６の他端６ｂを下向きにして樹脂部材７を押圧することにより容易に挿入することができる。
【００４０】
上記電気接続箱は、上述した「電子部品組立体と端子金具との接続構造９」と、該「電子部品組立体と端子金具との接続構造９」の保持部材８を取り付ける合成樹脂製のケースと、を有している。また、「電気接続箱」は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００４１】
また、本実施形態の電気接続箱は、保持部材８が前記ケースと別体で形成されているが、本発明においてはこれに限らず、保持部材８が前記ケースと一体で形成されていても良い。すなわち、保持部材８が電気接続箱のケースの一部であっても良い。
【００４２】
以上説明したように、電子部品組立体１は、複数のバスバ６の他端６ｂが、リレー本体２０の側面２０ｃ，２０ｄと対向しているので、全体の高さ寸法（図４中にｈ１で示す。）がリレー２の高さ寸法となる。このような電子部品組立体１を有する「電子部品組立体と端子金具との接続構造９」は、保持部材８の全体の高さ寸法（図４中にｈ２で示す。）が、第１収容室８０の高さ寸法と第２収容室８１の高さ寸法とを合わせた寸法ではなく、第２収容室８１のみの高さ寸法となる。よって、電気接続箱における「電子部品組立体と端子金具との接続構造９」の収容スペース（すなわち保持部材８の収容スペース）を低くすることができ、電気接続箱全体の高さ寸法を低くすることができる。
【００４３】
また、上述した実施形態では、電子部品組立体１のバスバ６の他端６ｂが、リレー本体２０の対向する二側面２０ｃ，２０ｄと対向した構成であったが、本発明においては、複数のバスバ６の他端６ｂが、リレー本体２０の４面の側面２０ｃ〜２０ｆのうちの１面と対向した構成であっても良く、３面と対向した構成であっても良く、４面全てと対向した構成であっても良い。
【００４４】
また、上述した実施形態では、電子部品組立体１が樹脂部材７を有していたが、本発明においては、電子部品組立体１が樹脂部材７を有していなくても良い。その場合、複数のバスバ６を仮保持治具などにセットして、これらバスバ６の一端６ａ側とリレー２の端子部２１及びダイオード３の端子部３１とをはんだ付けするようにすれば良い。
【００４５】
また、本発明においては、前記「電子部品組立体と端子金具との接続構造」及び前記電気接続箱が、上述した電子部品組立体１の代わりに、後述する第２の実施形態の電子部品組立体１０１を有していても良い。
【００４６】
（第２の実施形態）
本発明の第２の実施形態にかかる「電子部品組立体」を図６を参照して説明する。また、図６において、前述した第１の実施形態と同一構成部分には同一符号を付して説明を省略する。
【００４７】
図に示す電子部品組立体１０１は、リレー（請求項の「電子部品」）２と、ダイオード３と、複数のバスバ６と、樹脂部材１０７と、で構成されている。本実施形態の樹脂部材１０７は、第１の実施形態の樹脂部材７がその長手方向に延長された構成である。各バスバ６の直角に折り曲げられた部分は、樹脂部材１０７の内部に位置している。
【００４８】
このような電子部品組立体１０１は、バスバ６の他端６ｂと端子金具４（図４に示す。）が嵌合する際にバスバ６に加えられる力を樹脂部材１０７で受けることができ、そのために、バスバ６が変形することを防止できる。
【００４９】
また、上記第２の実施形態のバスバ６は、樹脂部材１０７の内部において直角に折り曲げられているが、本発明においては、バスバ６は、樹脂部材１０７におけるリレー本体２０との対向面に接して直角に折り曲げられていても良い。
【００５０】
また、上述した第１の実施形態及び第２の実施形態では、「電子部品」としての「リレー」を有する「電子部品組立体」を説明したが、本発明の「電子部品組立体」は、リレーに限らず、「外形が直方体状の部品本体及び該部品本体の底面から突出した複数の端子部が設けられた電子部品」を有するものが含まれる。例えば、上記リレー２の代わりに、「外形が直方体状の部品本体及び該部品本体の底面から突出した複数の端子部が設けられたヒューズ」を有している電子部品組立体も本発明に含まれる。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５２】
１，１０１  電子部品組立体
２  リレー（電子部品）
４  端子金具
６  バスバ
７，１０７  樹脂部材
８  保持部材
９  電子部品組立体と端子金具との接続構造
２０  リレー本体（部品本体）
２０ｂ  側面
２０ｃ〜２０ｆ  側面
２１  端子部
【図１】
2014030627.tif 000003
【図２】
2014030627.tif 000004
【図３】
2014030627.tif 000005
【図４】
2014030627.tif 000006
【図５】
2014030627.tif 000007
【図６】
2014030627.tif 000008
【図７】
2014030627.tif 000009
【図８】
2014030627.tif 000010
【図９】
2014030627.tif 000011
【図１０】
2014030627.tif 000012
【国際調査報告】
2014030627.tif 000013
2014030627.tif 000014
2014030627.tif 000015
2014030627.tif 000016